(57)【特許請求の範囲】
【請求項１】
ＬＣ共振回路を含み高圧放電ランプが接続される主回路と；前記主回路が出力側に接続され前記主回路を介して高圧放電ランプを始動及び点灯させるハーフブリッジ型のインバータ回路と；
前記高圧放電ランプの始動時に前記高圧放電ランプに始動電圧を供給するイグナイタと；
第１及び第２の設定端子を有し前記インバータ回路を発振制御する発振器と；
前記発振器の第１の設定端子に接続され前記インバータ回路の発振周波数を調整するためのボリウムと、一端が前記ボリウムに接続され他端が前記発振器の第２の設定端子に接続され前記高圧放電ランプのランプ電力を調整するためのポテンショメータと、前記ポテンショメータに並列に接続され中間接続点が前記ポテンショメータの共通端子に接続された逆直列ダイオードと、前記発振器の第２の設定端子とグランドラインとの間に接続されたコンデンサとを備え、前記発振器が発振する安定点灯周波数を設定すると共にその安定点灯周波数を保持した状態で前記高圧放電ランプのランプ電力を設定できる設定回路と；
を備えたことを特徴とする高圧放電ランプ点灯装置。
【請求項２】
ＬＣ共振回路を含み高圧放電ランプが接続される主回路と；
前記主回路が出力側に接続され前記主回路を介して高圧放電ランプを始動及び点灯させるハーフブリッジ型のインバータ回路と；
第１及び第２の設定端子を有し前記インバータ回路を発振制御する発振器と；
前記発振器の第１の設定端子に接続され前記インバータ回路の発振周波数を調整するためのボリウムと、一端が前記ボリウムに接続され他端が前記発振器の第２の設定端子に接続され前記高圧放電ランプのランプ電力を調整するためのポテンショメータと、前記ポテンショメータに並列に接続され中間接続点が前記ポテンショメータの共通端子に接続された逆直列ダイオードと、前記発振器の第２の設定端子とグランドラインとの間に接続された並列接続される複数個のコンデンサと、前記高圧放電ランプの始動時には前記複数個のコンデンサのうちの１個のコンデンサの接続をオフし点灯時にはオンするスイッチ素子とを備え、前記高圧放電ランプの始動時には始動周波数で点灯時には安定点灯周波数となるように前記発振器が発振する始動時及び点灯時の周波数を設定すると共にその周波数を保持した状態で前記高圧放電ランプのランプ電力を設定できる設定回路と；
を備えたことを特徴とする高圧放電ランプ点灯装置。
【請求項３】
前記ボリウムは、前記インバータ回路の点灯時の発振周波数が前記高圧放電ランプの非音響共鳴周波数になるように調整することを特徴とする請求項１または２記載の高圧放電ランプ点灯装置。
【請求項４】
前記ポテンショメータは、前記高圧放電ランプの点灯時のランプ電力が前記高圧放電ランプの定格電力になるように調整することを特徴とする請求項１または２記載の高圧放電ランプ点灯装置。
【請求項５】
請求項１乃至請求項４のいずれか一の高圧放電ランプ点灯装置と；前記高圧放電ランプ点灯装置で点灯されるセラミック放電ランプが装着される器具本体と；を備えたことを特徴とする照明装置。
【発明の詳細な説明】
【０００１】
【発明の属する技術分野】
本発明は、高圧放電ランプを高周波点灯する高圧放電ランプ点灯装置及び照明装置に関する。
【０００２】
【従来の技術】
一般に、放電ランプ点灯装置は、ＬＣ共振型のインバータ回路を備え、放電ランプの始動時にはインバータ回路は高い周波数で発振を開始し、徐々に周波数を下げてＬＣ共振回路の共振周波数に近づける。これにより、インバータ回路の二次電圧が上昇し、二次電圧が放電ランプの始動電圧に達すると放電ランプが放電開始して点灯する。一旦、放電ランプが点灯した後はインバータ回路の周波数をさらに低下させ、安定点灯周波数（点灯時の周波数）で放電ランプを連続点灯する。
【０００３】
高圧放電ランプの場合は、グロー放電からアーク放電に転移して放電を開始する特性を有することから、アーク放電転移のために所定時間、高い電圧を印加する必要がある。そこで、インバータ回路の前段に設けられた昇圧回路により、高圧放電ランプの始動時には、点灯時よりも高い出力電圧値に制御するようにしている。また、高圧放電ランプの点灯時には、昇圧回路の出力電圧によってランプ電力が定格電力値付近になるように調整している。
【０００４】
一方、高圧放電ランプには音響共鳴を発生する周波数領域があることから、始動時及び点灯時には音響共鳴が起こらない安定窓の周波数で点灯することが行われている。例えば、２０Ｗクラスの高圧放電ランプにおける高周波点灯の安定窓は、２０ｋＨｚ±３ｋＨｚ、４６ｋＨｚ±３ｋＨｚ程度である。なお、２０ｋＨｚ点灯下での下限（−３ｋＨｚ）は、音響共鳴ではなく可聴領域となることの制限によるものである。
【０００５】
【発明が解決しようとする課題】
ところが、このような周波数関係におけるハーフブリッジ型のインバータ回路では、点灯周波数の変化に対してランプ電力の変化が大きいので、昇圧回路により、インバータ回路の入力電圧を調整してランプ電力を調整するようにしている。従って、昇圧回路が必要となりシステムが大型化すると共に昇圧回路が発生する電圧調整のための制御回路も複雑化する。
【０００６】
本発明の目的は、高圧放電ランプの点灯時に非音響共鳴周波数域で適正に点灯周波数を一定に保つことができランプ電力の調整も適正にできる高圧放電ランプ点灯装置を提供することである。
【０００７】
【課題を解決するための手段】
請求項１の発明に係わる高圧放電ランプ点灯装置は、ＬＣ共振回路を含み高圧放電ランプが接続される主回路と；前記主回路が出力側に接続され前記主回路を介して高圧放電ランプを始動及び点灯させるハーフブリッジ型のインバータ回路と；前記高圧放電ランプの始動時に前記高圧放電ランプに始動電圧を供給するイグナイタと；第１及び第２の設定端子を有し、前記高圧放電ランプの始動時には始動周波数で点灯時には安定点灯周波数となるように前記インバータ回路を発振制御する発振器と；前記発振器の第１の設定端子に接続され前記インバータ回路の発振周波数を調整するためのボリウムと、一端が前記ボリウムに接続され他端が前記発振器の第２の設定端子に接続され前記高圧放電ランプのランプ電力を調整するためのポテンショメータと、前記ポテンショメータに並列に接続され中間接続点が前記ポテンショメータの共通端子に接続された逆直列ダイオードと、前記発振器の第２の設定端子とグランドラインとの間に接続されたコンデンサとを備え、前記発振器が発振する安定点灯周波数を設定すると共にその安定点灯周波数を保持した状態で前記高圧放電ランプのランプ電力を設定できる設定回路と；を備えたことを特徴とする。
【０００８】
本発明及び以下の発明において、特に指定しない限り用語の定義及び技術的意味は以下による。
【０００９】
高圧放電ランプは、水銀ランプ、メタルハライドランプ、高圧ナトリウムランプなどを示し、また、発光管にアルミナ管を用いたセラミック放電ランプも許容する。
【００１０】
ハーフブリッジ型のインバータ回路は２個のスイッチング素子を有し、直流電源圧を入力として２個のスイッチング素子を交互に制御回路よりオンオフ制御して、出力側に高周波電圧を発生させる。インバータ回路の出力側には主回路が接続され、インバータ回路の出力である高周波電圧を高圧放電ランプに印加する。
【００１１】
主回路はＬＣ共振回路を有し、インバータ回路から入力される高周波電圧の周波数に応じて、そのＬＣ共振回路の共振周波数で高電圧を発生させる。
【００１２】
イグナイタは高圧放電ランプの始動時に高圧放電ランプに始動電圧を供給する高電圧発生装置である。
【００１３】
発振器は、高圧放電ランプの点灯時に安定点灯周波数でインバータ回路を発振制御するものであり、発振周波数決め用端子を有したハーフブリッジドライバＩＣ（例えば、ＩＲ２１５３、International Rcetifire社）が用いられる。
【００１４】
設定回路は発振器の発振周波数決め用端子に接続されて形成される。設定回路は、例えば発振器が発振する安定点灯周波数をコンデンサとボリウムとによる時定数で設定し、インバータ回路のスイッチング素子のデューティー比を逆並列ダイオード及びポテンショメータで設定することにより、高圧放電ランプのランプ電力を設定する。
【００１７】
ここで、発振器は発振周波数決め用端子として第１の設定端子と第２の設定端子とを有し、発振器の安定点灯周波数は、第１の設定端子に接続されたボリウムの抵抗値及びポテンショメータ１／２の抵抗値の合計抵抗値と、第２の設定端子とグランドラインとの間に接続されたコンデンサの容量とで設定される。コンデンサの値は一定値でありポテンショメータの全体の抵抗値も一定値であるので、ボリウムの抵抗値を変化させて第２の設定端子に現れる三角波の時定数を設定する。これにより、発振器の安定点灯周波数は設定される。この場合、ランプ点灯時の発振周波数は、１０ｋＨｚ〜３００ｋＨｚの音響共鳴が起こらない安定窓の周波数が設定される。
【００１８】
一方、高圧放電ランプのランプ電力は、一端がボリウムに接続され他端が発振器の第２の設定端子に接続されたポテンショメータと、ポテンショメータに並列に接続され中間接続点がポテンショメータの共通端子に接続された逆直列ダイオードとの並列回路で設定される。ポテンショメータの共通端子位置を変化させることにより、第１の設定端子側からグランドライン側に形成される回路と、グランドライン側から第１の設定端子側に形成される回路との抵抗値が変化する。このポテンショメータの共通端子位置を設定することにより、インバータ回路のスイッチング素子のデューティー比を設定する。
【００１９】
本発明によれば、発振器は設定回路で設定された高圧放電ランプの点灯時の安定点灯周波数で発振し、その安定点灯周波数を保持した状態で設定されたランプ電力で高圧放電灯を点灯するので、点灯周波数の変化に対してランプ電力をほぼ一定に保持できる。また、ボリウムで発振周波数を設定し、ボリウムで設定された発振周波数を一定に保持したままでポテンショメータでランプ電力を設定できるので設定操作が簡単に行える。
【００２０】
請求項２の発明に係わる高圧放電ランプ点灯装置は、ＬＣ共振回路を含み高圧放電ランプが接続される主回路と；前記主回路が出力側に接続され前記主回路を介して高圧放電ランプを始動及び点灯させるハーフブリッジ型のインバータ回路と；第１及び第２の設定端子を有し前記インバータ回路を発振制御する発振器と；前記発振器の第１の設定端子に接続され前記インバータ回路の発振周波数を調整するためのボリウムと、一端が前記ボリウムに接続され他端が前記発振器の第２の設定端子に接続され前記高圧放電ランプのランプ電力を調整するためのポテンショメータと、前記ポテンショメータに並列に接続され中間接続点が前記ポテンショメータの共通端子に接続された逆直列ダイオードと、前記発振器の第２の設定端子とグランドラインとの間に接続された並列接続される２個のコンデンサと、前記高圧放電ランプの始動時には前記複数のコンデンサのうちの１個のコンデンサの接続をオフし点灯時にはオンするスイッチ素子とを備え、前記高圧放電ランプの始動時には始動周波数で点灯時には安定点灯周波数となるように前記発振器が発振する始動時及び点灯時の周波数を設定すると共にその周波数を保持した状態で前記高圧放電ランプのランプ電力を設定できる設定回路と；を備えたことを特徴とする。
【００２１】
本発明は、請求項１の発明に対し、始動電圧を発生するイグナイタに代えて、設定器に始動周波数を設定可能とし、発振器は設定回路で設定された始動周波数により始動電圧を発生するようにしたものである。
【００２２】
設定回路は発振器の発振周波数決め用端子に接続されて形成される。設定回路は、例えば並列接続された２個のコンデンサを有し、始動時と点灯時でコンデンサの接続を切り替えて始動周波数及び安定点灯周波数を設定可能とする。つまり、並列接続された２個のコンデンサのうちの１個のコンデンサと可変抵抗とによる時定数で始動周波数を設定し、並列接続された２個のコンデンサと可変抵抗とによる時定数で安定点灯周波数を設定する。高圧放電ランプのランプ電力は、インバータ回路のスイッチング素子のデューティー比を逆並列ダイオード及び可変抵抗で設定することにより行われる。
【００２４】
発振器は発振周波数決め用端子として第１の設定端子と第２の設定端子とを有し、発振器の発振周波数は、第１の設定端子に接続されたボリウムの抵抗値及びポテンショメータの１／２の抵抗値の合計抵抗値と、第２の設定端子とグランドラインとの間に接続された２個のコンデンサの容量とで設定される。２個のコンデンサの値は一定値でありポテンショメータの全体の抵抗値も一定値であるので、ボリウムの抵抗値を変化させて第２の設定端子に現れる三角波の時定数を設定する。
【００２５】
並列接続された２個のコンデンサの一方にはスイッチ素子が直列接続され、高圧放電ランプの始動時にはスイッチ素子がオフし、１個のコンデンサの容量とボリウムの抵抗値及びポテンショメータの１／２の抵抗値の合計抵抗値とで定まる時定数で始動周波数が設定される。高圧放電ランプの点灯時にはスイッチ素子がオンし、並列接続された２個のコンデンサの容量とボリウムの抵抗値及びポテンショメータの１／２の抵抗値の合計抵抗値とで定まる時定数で安定点灯周波数が設定される。
【００２６】
一方、高圧放電ランプのランプ電力は、一端がボリウムに接続され他端が発振器の第２の設定端子に接続されたポテンショメータと、ポテンショメータに並列に接続され中間接続点がポテンショメータの共通端子に接続された逆直列ダイオードとの並列回路で設定される。ポテンショメータの共通端子位置を変化させることにより、第１の設定端子側からグランドライン側に形成される回路と、グランドライン側から第１の設定端子側に形成される回路との抵抗値が変化する。このポテンショメータの共通端子位置を設定することにより、インバータ回路のスイッチング素子のデューティー比を設定する。
【００２７】
本発明によれば、発振器は始動時には設定回路に設定された始動周波数で発振し、点灯時には安定点灯周波数で発振するので、始動電圧を発生するイグナイタが必要なくなり、また、点灯時には、その安定点灯周波数を保持した状態で設定されたランプ電力で高圧放電灯を点灯できる。また、ボリウムで発振周波数を設定し、ボリウムで設定された発振周波数を一定に保持したままでポテンショメータでランプ電力を設定できるので設定操作が簡単に行える。
【００２８】
請求項３の発明に係る高圧放電ランプ点灯装置は、請求項１または２の発明において、前記ボリウムによって、前記インバータ回路の発振周波数が前記高圧放電ランプの非音響共鳴周波数になるように調整することを特徴とする。
【００２９】
本発明によれば、請求項１または２の発明の効果に加え、高圧放電ランプの安定点灯時に音響共鳴が発生することがないので、高圧放電ランプを安定に点灯できる。
【００３０】
請求項４の発明に係る高圧放電ランプ点灯装置は、請求項１または２の発明において、前記ポテンショメータによって、前記高圧放電ランプの点灯時のランプ電力が前記高圧放電ランプの定格電力になるように調整することを特徴とする。
【００３１】
本発明によれば、請求項１または２の発明の効果に加え、高圧放電ランプは定格電力で点灯することができるので点灯効率が上昇する。
【００３２】
請求項５の発明に係る照明装置は、請求項１乃至請求項４のいずれか一の高圧放電ランプ点灯装置と；前記高圧放電ランプ点灯装置で点灯される高圧放電ランプが装着される器具本体と；を備えたことを特徴とする。
【００３３】
本発明によれば、請求項１乃至請求項４のいずれか一の効果を有する照明装置が得られる。
【００３４】
【発明の実施に形態】
以下、本発明の実施の形態を説明する。図１は本発明の第１の実施の形態に係る高圧放電ランプ点灯装置１１の回路構成図、図２は本発明の第１の実施の形態で使用する高圧放電ランプ１２の一例を示す説明図である。
【００３５】
図２に示す高圧放電ランプ１２は、発光管にアルミナ管１３を使用したセラミック放電ランプであり、アルミナ管１３は透光性アルミナより構成される。セラミック放電ランプのアルミナ管１３は、一般の高圧放電ランプ１２の発光管に使われている石英ガラスより、封入物である金属ハロゲン化物に対して化学的及び熱的に安定である。発光管であるアルミナ管１３は、内部が真空に保持された外管１４に収納され、外管１４の一端部に口金１５が設けられる。口金１５の先端部１５ａとネジ部１５ｂとの間に高圧放電ランプ点灯装置１１から高周波電圧が印加される。
【００３６】
図１において、高圧放電ランプ点灯装置１１は、商用交流電源１６の交流電圧を直流電圧に変換する整流平滑回路１７と、整流平滑回路１７で得られた直流電圧を入力とし高圧放電ランプ１２を点灯させるハーフブリッジ型のインバータ回路１８と、ＬＣ共振回路を含み高圧放電ランプ１２が接続される主回路１９と、インバータ回路１８を発振制御する発振器２０と、発振器２０が発振する安定点灯周波数及び高圧放電ランプ１２のランプ電力を設定する設定回路２１と、高圧放電ランプ１２の始動時に高圧放電ランプ１２に始動電圧を供給するイグナイタ２２と、高圧放電ランプ１２のランプ電圧を検出するランプ電圧検出回路２３と、ランプ電圧が所定時間以上継続して高電圧であること検出するタイマー回路２４と、タイマー回路２４が動作したとき発振器２０の発振動作を停止する発振停止回路２５とから構成されている。
【００３７】
高圧放電ランプ１２の始動はイグナイタ２２から始動電圧を印加することにより行われる。商用電源１６が投入されると、ハーフブリッジ型のインバータ回路１８が動作開始する。ハーフブリッジ型のインバータ回路１８の動作により共振コンデンサＣ３の両端に安定点灯時より高い電圧が発生する。この電圧によりイグナイタ２２が動作し高圧を発生させる。イグナイタ２２から高電圧が発生されると、高圧放電ランプ１２はグロー放電を起こしアーク放電に転移して点灯する。
【００３８】
整流平滑回路１７から出力される直流電圧は抵抗Ｒ１及びコンデンサＣ１の直列回路に印加され、コンデンサＣ１の充電により発振器２０の動作可能な電圧を保持する。また、抵抗Ｒ１を介してダイオードＤ１及びコンデンサＣ２がスイッチング素子Ｑ１、Ｑ２の接続点に接続されており、コンデンサＣ２によりスイッチング素子Ｑ１をオンさせるための電圧を確保している。主回路１９は、インダクタＬ１と共振コンデンサＣ３とで構成されるＬＣ共振回路を有し、インバータ回路１８から入力される高周波電圧を直流カットコンデンサＣ４でカットする。ＬＣ共振回路は、インバータ回路１８から入力される高周波電圧の周波数に応じて高圧放電ランプ１２に高電圧を印加する。
【００３９】
ランプ電圧検出回路２３は高圧放電ランプ１２のランプ電圧を検出するものであり、始動電圧または寿命末期などによる高電圧となった高圧放電ランプ１２のランプ電圧を検出する。タイマー回路２４は高電圧が所定時間以上継続しているときに発振停止回路２５に発振停止指令を出力する。
【００４０】
発振停止回路２５はタイマー回路２４が動作したとき発振器２０の発振動作を停止する。つまり、始動電圧を印加しても高圧放電ランプ１２が所定時間内に点灯しない場合や寿命末期などにより高圧放電ランプ１２のランプ電圧が高電圧になった場合に発振器２０の発振を停止する。
【００４１】
次に、設定回路２１は高圧放電ランプ１２の安定点灯周波数及びランプ電力を設定するものである。発振器２０として、例えば、ハーフブリッジドライバＩＣ（ＩＲ２１５３、International Rcetifire社）を用いた場合には、発振器２０は発振周波数決め用端子として２個の端子（ＲＴ端子、ＣＴ端子）を有する。以下、図１に示す発振器２０の２ピン（ＲＴ端子）を第１の設定端子、３ピン（ＣＴ端子）を第２の設定端子、４ピンをグランドラインということにする。
【００４２】
設定回路２１のボリウム２６は第１の設定端子に接続されており、このボリウム２６の他端には、逆並列ダイオードＤ２、Ｄ３とポテンショメータ２７との並列回路が接続され、この並列回路の他端は第２の設定端子に接続されている。そして、ポテンショメータ２７の共通端子は逆並列ダイオードＤ２、Ｄ３の中間接続点に接続されている。また、発振器２０の第２の設定端子とグランドラインとの間にはコンデンサＣ５が接続されている。
【００４３】
発振器２０の発振周波数は、第１の設定端子に接続されたボリウム２６の抵抗値及びポテンショメータ２７の１／２の抵抗値の合成抵抗値と、第２の設定端子とグランドラインとの間に接続されたコンデンサＣ５の容量で決められる。ポテンショメータの抵抗値及びコンデンサの値は一定値であるので、ボリウム２６の抵抗値を変化させて第２の設定端子に現れる三角波の時定数を設定することになる。これにより、点灯時の安定点灯周波数の設定がなされる。この場合、安定点灯周波数は、音響共鳴が発生しない周波数の安定窓内に設定する。
【００４４】
一方、高圧放電ランプのランプ電力は、一端がボリウム２６に接続され他端が発振器２０の第２の設定端子に接続されたポテンショメータ２７と、ポテンショメータ２７に並列に接続され中間接続点がポテンショメータ２７の共通端子に接続された逆直列ダイオードＤ２、Ｄ３との並列回路で設定される。
【００４５】
ポテンショメータ２７の共通端子位置を変化させることにより、第１の設定端子側からグランドライン側に形成される回路と、グランドライン側から第１の設定端子側に形成される回路との抵抗値が変化する。すなわち、第１の設定端子側からグランドライン側に形成される回路は、第１の設定端子→ボリウム２６→ポテンショメータ２７の上部→ポテンショメータ２７の共通端子→ダイオードＤ３→コンデンサＣ５→グランドラインとなり、一方、グランドライン側から第１の設定端子側に形成される回路は、グランドライン→コンデンサＣ５→ポテンショメータ２７の下部→ポテンショメータの共通端子→ダイオードＤ２→ボリウム２６→第１の設定端子となる。従って、ポテンショメータ２７の共通端子の位置を変化させることにより、インバータ回路１８のスイッチング素子Ｑ１、Ｑ２のデューティー比を設定することができる。
【００４６】
図３は第１の実施の形態における発振器２０の特性図であり、図３（ａ）はデューティー比が５０％の場合の特性図、図３（ｂ）はデューティー比が６０％の場合の特性図である。スイッチング素子Ｑ１、Ｑ２のデューティー比が５０％の場合は、発振器２０の第２の設定端子に現れる三角波の充放電時定数は対称となり、スイッチング素子Ｑ１、Ｑ２へ供給するゲート電圧のオン期間が同じとなる。一方、スイッチング素子Ｑ１、Ｑ２のデューティー比が６０％の場合は、発振器２０の第２の設定端子に現れる三角波の充放電時定数は非対称となり、スイッチング素子Ｑ１へのゲート電圧オン期間がスイッチング素子Ｑ２へのゲート電圧オン期間より長くなる。
【００４７】
図４は高圧放電ランプ１２のランプ電力及び点灯周波数とデューティー比との関係を示す特性図である。図４では２０Ｗクラスの高圧放電ランプ１２の場合の特性図を示しており、点灯周波数は音響共鳴が発生しない安定窓の範囲である４６ｋＨｚ±３ｋＨｚ程度を設定した場合を示している。図４に示すように、デューティー比が２５％〜６５％付近に渡り、周波数ｆはほぼ一定に保たれているので、その範囲でランプ電力ＷＬは１６〜２２Ｗ程度まで変化できることが分かる。つまり、デューティー比がほぼ５０％のときにランプ電力は最大となり、デューティー比がそれ以上またはそれ以下にかかわらずデューティー比を変化させることで、ランプ電力を低く調整できる。
【００４８】
以上述べたように、第１の実施の形態によれば、ポテンショメータ２７と直列接続されたボリウム２６を回転操作することで、第１の接続端子と第２の接続端子との間に接続される合成抵抗値を調整でき、第２の設定端子とグランドラインとの間に接続されているコンデンサＣ５は、固定値であるので、第１の設定端子と第２の設定端子との間の抵抗値を可変させることで、インバータ回路１８の発振周波数を決定できる。
【００４９】
また、ポテンショメータ２７を可変しても逆直列接続されたダイオードＤ２、Ｄ３の効果によって、ポテンショメータ２７の合計抵抗値は不変であり、ボリウム２６によって周波数を決定してあるので、ポテンショメータ２７を可変しても発振周波数が変化することはない。つまり、発振周波数を変化させることなくポテンショメータ２７の調整によりデューティー比を変化させランプ電力を調整することができる。
【００５０】
次に、本発明の第２の実施の形態を説明する。図５は第２の実施の形態に係る高圧放電ランプ点灯装置１１の回路構成図である。この第２の実施の形態は、図１に示した第１の実施の形態に対し、始動電圧を発生するイグナイタ２２に代えて、設定器２１に始動周波数を設定可能とし、発振器２０は設定回路２１で設定された始動周波数により始動電圧を発生するようにしたものである。図１に示した第１の実施の形態と同一要素には同一符号を付し重複する記載は省略する。
【００５１】
設定回路２１は、例えば並列接続された２個のコンデンサＣ５、Ｃ６を有し、始動時と点灯時でコンデンサＣ５、Ｃ６の接続を切り替えて始動周波数及び安定点灯周波数を設定可能とする。
【００５２】
つまり、並列接続された２個のコンデンサＣ５、Ｃ６のうちの１個のコンデンサＣ５の容量とボリウム２６及びポテンショメータ２７の合成抵抗値とによる時定数で始動周波数を設定する。また、並列接続された２個のコンデンサＣ５、Ｃ６の合成容量とボリウム２６及びポテンショメータ２７の合成抵抗値とによる時定数で安定点灯周波数を設定する。
【００５３】
並列接続された２個のコンデンサＣ５、Ｃ６の一方のコンデンサＣ６にはスイッチ素子Ｑ３が直列接続され、高圧放電ランプ１２の始動時にはスイッチ素子Ｑ３がオフし、１個のコンデンサＣ５の容量とボリウム２６及びポテンショメータ２７の合計抵抗値とで定まる時定数で始動周波数が定まる。高圧放電ランプ１２の点灯時にはスイッチ素子Ｑ３がオンし、並列接続された２個のコンデンサＣ５、Ｃ６の容量とボリウム２６及びポテンショメータ２７の合計抵抗値とで定まる時定数で安定点灯周波数が定まる。なお、高圧放電ランプ１２のランプ電力は、第１の実施の形態と同様に、インバータ回路１８のスイッチング素子Ｑ１、Ｑ２のデューティー比を逆並列ダイオードＤ１、Ｄ２及びポテンショメータ２７で設定することにより行われる。
【００５４】
図５において、高圧放電灯１２の始動時には、商用交流電源１６からの交流電圧を整流平滑回路１７で整流平滑して得られた直流電圧がインバータ回路１８に印加されると共に抵抗Ｒ１及びコンデンサＣ１の直列回路に印加され、コンデンサＣ１の充電により発振器２０に動作可能な電圧を保持する。また、直流電圧は抵抗Ｒ１、Ｒ２及びコンデンサＣ７の直列回路にも印加され、コンデンサＣ７は所定の時定数で充電する。コンデンサＣ１が所定の電圧になるまではスイッチ素子Ｑ３はオフ状態を保つ。コンデンサＣ１が所定の電圧になるまでの時間は高圧放電ランプ１２に始動電圧を印加して点灯するまでの時間より多少長めになるように設定される。
【００５５】
スイッチ素子Ｑ３がオフ状態であるときは設定回路２１のコンデンサＣ６は非接続状態であるので、１個のコンデンサＣ５の容量とボリウム２６及びポテンショメータ２７の合計抵抗値とで定まる時定数で始動周波数が定まる。従って、発振器２０はその始動周波数にて動作する。
【００５６】
そして、コンデンサＣ７が所定の電圧になるとスイッチ素子Ｑ３はオンとなりコンデンサＣ６がコンデンサＣ５と並列接続される。これにより、２個のコンデンサＣ５、Ｃ６の容量とボリウム２６及びポテンショメータ２７の合計抵抗値とで定まる時定数で安定点灯周波数が定まる。なお、高圧放電ランプ１２はコンデンサＣ７が所定の電圧になるまでの間に点灯している。
【００５７】
このように、始動時には１個のコンデンサＣ５を接続状態として始動周波数で発振器２０を発振させて高圧放電ランプ１２を高周波起動し、高圧放電ランプ１２が点灯した後は２個のコンデンサＣ５、Ｃ６を接続状態として発振周波数を低下させ安定点灯周波数で点灯を維持する。
【００５８】
この第２の実施の形態によれば、発振器２０は始動時には設定回路２１に設定された始動周波数で発振し、点灯時には安定点灯周波数で発振するので、始動電圧を発生するイグナイタが必要なくなり、また、点灯時には、その安定点灯周波数を保持した状態で設定されたランプ電力で高圧放電灯を点灯できるので、点灯周波数の変化に対してランプ電力をほぼ一定に保持できる。また、ボリウム２６で発振周波数を設定し、ボリウム２６で設定された発振周波数を一定に保持したままでポテンショメータ２７でランプ電力を設定できるので設定操作が簡単に行える。
【００５９】
図６は本発明の第３の実施の形態に係る照明装置の説明図である。第１の実施の形態または第２の実施の形態の高圧放電ランプ点灯装置１１は、高圧放電ランプ１２が装着される器具本体２８と共に照明装置を構成する。図６に示すように、高圧放電ランプ１２は器具本体２８のソケット２９に装着され、高圧放電ランプ点灯装置１１により点灯される。点灯した高圧放電ランプ１２からの光は、前面側の反射板３０で反射され前面ガラス３１を介して出光される。この第３の実施の形態の照明装置によれば、第１の実施の形態または第２の実施の形態における高圧放電ランプ点灯装置１１の効果を有する照明装置が得られる。
【００６０】
【発明の効果】
請求項１の発明によれば、発振器は設定回路で設定された高圧放電ランプの点灯時の安定点灯周波数で発振し、その安定点灯周波数を保持した状態で設定されたランプ電力で高圧放電灯を点灯できる。
【００６１】
請求項２の発明によれば、請求項１の発明の効果に加え、ボリウムで発振周波数を設定し、ボリウムで設定された発振周波数を一定に保持したままでポテンショメータでランプ電力を設定できるので設定操作が簡単に行える。
【００６２】
請求項３の発明によれば、発振器は始動時には設定回路に設定された始動周波数で発振し、点灯時には安定点灯周波数で発振するので、始動電圧を発生するイグナイタが必要なくなり、また、点灯時には、その安定点灯周波数を保持した状態で設定されたランプ電力で高圧放電灯を点灯できる。従って、点灯周波数の変化に対してランプ電力をほぼ一定に保持できる。
【００６３】
請求項４の発明によれば、請求項３の発明の効果に加え、ボリウムで発振周波数を設定し、ボリウムで設定された発振周波数を一定に保持したままでポテンショメータでランプ電力を設定できるので設定操作が簡単に行える。
【００６４】
請求項５の発明によれば、請求項２または４の発明の効果に加え、高圧放電ランプの安定点灯時に音響共鳴が発生することがないので、高圧放電ランプを安定に点灯できる。
【００６５】
請求項６の発明によれば、請求項２または４の発明の効果に加え、高圧放電ランプは定格電力で点灯することができるので点灯効率が上昇する。
【００６６】
請求項７の発明によれば、請求項１乃至請求項６のいずれか一の効果を有する照明装置が得られる。
【図面の簡単な説明】
【図１】本発明の第１の実施の形態に係る高圧放電ランプ点灯装置の回路構成図。
【図２】本発明の第１の実施の形態で使用する高圧放電ランプの一例を示す説明図。
【図３】本発明の第１の実施の形態における発振器の特性図。
【図４】本発明の第１の実施の形態における高圧放電ランプのランプ電力及び点灯周波数とデューティー比との関係を示す特性図。
【図５】本発明の第２の実施の形態に係る高圧放電ランプ点灯装置の回路構成図。
【図６】本発明の第３の実施の形態に係る照明装置の説明図。
【符号の説明】
１１…高圧放電ランプ点灯装置、１２…高圧放電ランプ、１３…アルミナ管、１４…外管、１５…口金、１６…商用交流電源、１７…整流平滑回路、１８…インバータ回路、１９…主回路、２０…発振器、２１…設定回路、２２…イグナイタ、２３…ランプ電圧検出回路、２４…タイマー回路、２５…発振停止回路、２６…ボリウム、２７…ポテンショメータ、２８…器具本体、２９…ソケット、３０…反射板、３１…前面ガラス
【図１】
0003925307.tif 000002
【図２】
0003925307.tif 000003
【図３】
0003925307.tif 000004
【図４】
0003925307.tif 000005
【図５】
0003925307.tif 000006
【図６】
0003925307.tif 000007